(57)【要約】【課題】  建築物全体として比較的短いダクトを使用して各室への外気取入れを可能にするとともに、空調済み空気が保有する熱エネルギによって、各室への外気の影響を確実に緩和することのできる建築物の換気構造。【解決手段】  多層階の建築物１が、その壁面に沿って所定間隔を隔てて並設された外側透光体２と内側透光体６を備え、それら両透光体２，６間の空間が、建築物１の多層階にわたって上下方向に連通する状態で各階の室内換気用の排気空間８に構成され、その排気空間８に連通する排気口が建築物１の上層階に設けられている建築物の換気構造で、各階の室９内に連通する多数の外気取入れ用の給気ダクト１６が、排気空間８を横切って設けられるとともに、両透光体２，６の正面視において排気空間８を上昇する排気流Ｆ２が横方向に分流するように分散配置されている。【選択図】        図３
2006200822.tif 000002
【特許請求の範囲】
【請求項１】
多層階の建築物が、その壁面に沿って所定間隔を隔てて並設された外側透光体と内側透光体を備え、それら両透光体間の空間が、前記建築物の多層階にわたって上下方向に連通する状態で各階の室内換気用の排気空間に構成され、その排気空間に連通する排気口が前記建築物の上層階に設けられている建築物の換気構造であって、
前記各階の室内に連通する多数の外気取入れ用の給気ダクトが、前記排気空間を横切って設けられるとともに、前記両透光体の正面視において前記排気空間を上昇する排気流が横方向に分流するように分散配置されている建築物の換気構造。
【請求項２】
前記給気ダクトが、前記両透光体の正面視において千鳥状に分散配置されている請求項１に記載の建築物の換気構造。
【発明の詳細な説明】
【技術分野】
【０００１】
本発明は、多層階の建築物が、その壁面に沿って所定間隔を隔てて並設された外側透光体と内側透光体を備え、それら両透光体間の空間が、前記建築物の多層階にわたって上下方向に連通する状態で各階の室内換気用の排気空間に構成され、その排気空間に連通する排気口が前記建築物の上層階に設けられている建築物の換気構造に関する。
【背景技術】
【０００２】
このような換気構造によれば、外側透光体と内側透光体の間に形成される排気空間内を各室の空調済みの空気が上方へ通流するため、空調済み空気の保有熱エネルギによって、暖房時であれば排気空間内が暖められ、冷房時であれば排気空間内が冷やされて各室への外気の影響が緩和される。
このような建築物の換気構造において、従来、各室へ外気を取入れる外気取入れ口が、建築物における両透光体の反対側に位置する壁面に設けられ、その外気取入れ口に連通する外気導入用のダクトが天井裏に配設されて、天井板に設けられた外気吐出口から外気を吐出するように構成したものが知られている（例えば、特許文献１参照）。
【０００３】
【特許文献１】特開２００３−１０６５９８号公報（図１）
【発明の開示】
【発明が解決しようとする課題】
【０００４】
しかしながら、上記特許文献に記載の従来技術では、各室の天井に沿って配設した比較的長い外気導入用のダクトを介して外気を導入するため、ダクト内における流動抵抗が大きくなるのに加えて、建築物全体として相当な長さのダクトを必要とすることになる。
【０００５】
本発明の目的は、建築物全体として比較的短いダクトを使用して各室への外気取入れを可能にするとともに、空調済み空気が保有する熱エネルギによって、各室への外気の影響を確実に緩和することのできる建築物の換気構造を提供することにある。
【課題を解決するための手段】
【０００６】
本発明の第１の特徴構成は、多層階の建築物が、その壁面に沿って所定間隔を隔てて並設された外側透光体と内側透光体を備え、それら両透光体間の空間が、前記建築物の多層階にわたって上下方向に連通する状態で各階の室内換気用の排気空間に構成され、その排気空間に連通する排気口が前記建築物の上層階に設けられている建築物の換気構造であって、前記各階の室内に連通する多数の外気取入れ用の給気ダクトが、前記排気空間を横切って設けられるとともに、前記両透光体の正面視において前記排気空間を上昇する排気流が横方向に分流するように分散配置されているところにある。
【０００７】
本発明の第１の特徴構成によれば、各階の室内に連通する多数の外気取入れ用の給気ダクトが、外側透光体と内側透光体の間に形成される排気空間を横切って設けられるので、たとえ多層階の建築物であっても、建築物全体として比較的短い給気ダクトを使用して各室への外気取入れを行うことができる。
そして、その外気取入れ用の給気ダクトは、両透光体の正面視において排気空間を上昇する排気流が横方向に分流するように分散配置されているので、各室への外気の影響を確実に抑制して緩和することができる。
【０００８】
この点について詳述すると、例えば、図５に示すように、各階の給気ダクト１６を上下方向に並べて配置するとともに、その上下方向に並べた給気ダクト１６を横方向に一列置きに配置することも可能である。
しかし、このように配置すると、排気空間を上昇する排気流は、図中「Ｆ３」で示すように、給気ダクト１６の存在しない部分に沿ってほぼ直線状に上昇するため、排気空間における温度分布に不均衡が生じ、その結果、各室への外気の影響を確実に抑制することがむずかしくなる。
【０００９】
それに対し、上述したように排気空間を上昇する排気流が横方向に分流するように給気ダクトを分散配置することで、空調済みの排気流は、給気ダクトの間を縫って横方向に分流しながら通流することになり、その結果、排気空間の全面を均一に暖めたり、冷やしたりすることができ、多数の外気取入れ用の排気ダクトが排気空間を横切って配置されるにもかかわらず、各室への外気の影響を確実に抑制して緩和することができる。
【００１０】
本発明の第２の特徴構成は、前記給気ダクトが、前記両透光体の正面視において千鳥状に分散配置されているところにある。
【００１１】
本発明の第２の特徴構成によれば、給気ダクトが、両透光体の正面視において千鳥状に分散配置されているので、空調済みの空気は、千鳥状に配置された給気ダクトの間を縫って横方向に分散しながら通流することになり、排気空間における温度分布がより一層均衡化され、各室への外気の影響をより一層確実に緩和することができる。
【発明を実施するための最良の形態】
【００１２】
本発明による建築物の換気構造につき、その実施の形態を図面に基づいて説明する。
この換気構造の対象となる建築物は、図１に示すように、多層階の高層建築物１で、その建築物１には、建築物１の壁面に沿って外側透光体としての透明な単板フロートガラス２が外側サッシ３に嵌め込まれて設けられている。
単板フローロガラス２の室内側には、床スラブ４と天井板５とにわたって内側透光体としての透明な複層ガラス６が、内側サッシ７に嵌め込まれ、かつ、単板フロートガラス２と所定の間隔を隔てて並設されていて、その単板フロートガラス２と複層ガラス６および床スラブ４との間の空間８が、建築物１の各階の室９における室内換気用の排気空間に構成されている。
【００１３】
その単板フロートガラス２と複層ガラス６および床スラブ４の間に形成される排気空間８は、建築物１の多層階にわたって上下方向に連通する状態に設けられ、排気空間８に連通する排気口１０が、雨水の侵入を阻止した状態で建築物１の最上階に設けられ、排気空間８内には昇降自在なブラインド１１が配設されている。
各階の室９の天井裏、つまり、天井板５と上階の床スラブ４との間の空間内には、それぞれ冷暖房用の空調装置１２が配設され、詳しい説明は省略するが、各室９の天井板５に設けられた空調用吸気口から室内の空気を吸引し、天井板５に設けられた空調用吐出口から空調後の空気を吐出して各室９を空調するように構成されている。
【００１４】
各室９の天井板５には、空調用吸気口とは別に、換気用の吸気口１３が設けられ、その換気用吸気口１３が、換気ファン１４を備えた換気ダクト１５を介して、図２に詳しく示すように、排気空間８にそれぞれ連通されるとともに、建築物１の各階には、図３に詳しく示すように、各室９に外気を取入れるための多数の外気取入れ用の給気ダクト１６が、排気空間８を横切って配置されている。
各給気ダクト１６は、各階の床スラブ４の上部に対応する位置に配置され、給気ダクト１６の外気取入れ口１７には、手動または自動により開閉自在な多数の回動板１８が設けられ、給気ダクト１６の外気吐出口１９は、各床スラブ４の直上方、つまり、床面近くに開口されている。そして、それら多数の給気ダクト１６は、図４に示すように、単板フロートガラス２と複層ガラス６の正面視において千鳥状になるように配置されている。
なお、単板フローロガラス２の室内側の面のうち、各階の床スラブ４に対応する内面には、不透明なシートまたは板状体２０が配設されて、外側から床スラブ４などが見えないように構成されている。
【００１５】
この高層建築物１においては、各階の室９が空調装置１２により空調され、空調済みの室内空気の一部である排気流が、図中「Ｆ２」で示すように、換気ファン１４の作動に伴って換気用吸気口１３から吸引され、換気ダクト１５を通流して排気空間８内へ排気される。
排気空間８内へ排気された排気流Ｆ２は、さらに排気空間８内を上昇して排気口１０から外気中へ排気され、その間、空調済み空気である排気流Ｆ２の保有熱エネルギによって、暖房時であれば排気空間８内が暖められ、冷房時であれば排気空間８内が冷やされ、それによって各室９への外気の影響を緩和することができる。
他方、外気は、図中「Ｆ１］で示すように、排気空間８内を横断する多数の給気ダクト１６を通って各室９に供給される。このように多数の給気ダクト１６が排気空間８内を横断することになるが、給気ダクト１６は千鳥状に配置されているため、排気流Ｆ２は、図４において矢印で示すように、千鳥状に配置された給気ダクト１６の間を縫って横方向に分流しながら通流するため、排気空間８の全面を均一に暖めたり、冷やしたりすることになる。
【００１６】
〔別実施形態〕
先の実施形態では、多数の給気ダクト１６が、両ガラス２，６の正面視において千鳥状に配置された例を示したが、必ずしも千鳥状に配置する必要はなく、排気空間８を上昇する排気流Ｆ２が、給気ダクト１６によって横方向に分流するように分散配置して実施することもできる。
さらに、給気ダクト１６が各階の床スラブ４の上部に対応する位置に配置された例を示したが、給気ダクト１６の配置は、特に床スラブ４の上部に対応する位置に限るものではなく、例えば、床スラブ４の上方または下方、あるいは、上下の床スラブ４の中間部など、建築物１の構造などに応じて自由に設定することができる。
また、排気空間８に連通する排気口１０についても、特に建築物１の最上階に設ける必要はなく、建築物１の構造に応じて適宜設定することができる。
【図面の簡単な説明】
【００１７】
【図１】建築物の換気構造を示す縦断側面図
【図２】建築物の換気構造の要部を示す縦断側面図
【図３】建築物の換気構造の要部を示す縦断側面図
【図４】建築物の換気構造を示す正面からの斜視図
【図５】建築物の換気構造における対比例を示す正面からの斜視図
【符号の説明】
【００１８】
１      建築物
２      外側透光体
６      内側透光体
８      排気空間
９      各階の室
１０    排気口
１６    給気ダクト
Ｆ２    排気流
【図１】
2006200822.tif 000003
【図２】
2006200822.tif 000004
【図３】
2006200822.tif 000005
【図４】
2006200822.tif 000006
【図５】
2006200822.tif 000007